(57)【特許請求の範囲】
【請求項１】
仰臥腹部位の垂直方向の頂を通りつつ、仰臥腹部位を横断する水平面を基準位置として確保する水平基準位置確保手段と、
前記水平基準位置確保手段により基準位置として確保した水平面から垂直に、仰臥腹部位の水平方向の頂までを結ぶ頂間垂直距離を測定する頂間垂直距離測定手段と、
頂間垂直距離と皮下脂肪蓄積情報との相関関係に基づいて、前記頂間垂直距離測定手段により測定した頂間垂直距離に対応する皮下脂肪蓄積情報を推定する皮下脂肪蓄積情報推定手段と、
前記皮下脂肪蓄積情報推定手段により推定した皮下脂肪蓄積情報を出力する皮下脂肪蓄積情報出力手段と、
を備える皮下脂肪蓄積情報推定装置。
【請求項２】
前記水平基準位置確保手段は、
仰臥腹部位の垂直方向の頂に接触させる接触部を有し、前記接触部を仰臥腹部位の垂直方向の頂に接触させた際に仰臥腹部位を水平に横断するように形成した水平定規と、
前記接触部を仰臥腹部位の垂直方向の頂に接触させた際に、前記水平定規が仰臥腹部位を水平に横断する状態を維持させる水平出し部とから成り、
前記頂間垂直距離測定手段は、
前記水平出し部により前記水平定規を水平に横断する状態に維持させた際に、前記水平定規から下方に、仰臥腹部位の水平方向の頂に接触させる側に配置して垂直距離を示す目盛部を有し、仰臥腹部位の水平方向の頂に接触させた際に前記目盛部が示す前記水平定規から仰臥腹部位の水平方向の頂までの垂直距離を頂間垂直距離として測定する垂直定規から成り、
前記皮下脂肪蓄積情報推定手段は、
前記垂直定規により測定した頂間垂直距離を入力する直距離入力部と、
頂間垂直距離と皮下脂肪蓄積情報との相関関係を予め記憶する相関関係記憶部と、
前記相関関係記憶部に予め記憶する頂間垂直距離と皮下脂肪蓄積情報との相関関係に基づいて、前記頂間垂直距離入力部により入力した頂間垂直距離に対応する皮下脂肪蓄積情報を求める皮下脂肪蓄積情報演算部とから成り、
前記皮下脂肪蓄積情報出力手段は、
前記皮下脂肪蓄積情報演算部により求めた皮下脂肪蓄積情報を表示する皮下脂肪蓄積情報表示部から成る、
ことを特徴とする請求項１記載の皮下脂肪蓄積情報推定装置。
【請求項３】
前記水平基準位置確保手段は、
仰臥腹部位の垂直方向の頂に接触させる接触部を有し、前記接触部を仰臥腹部位の垂直方向の頂に接触させた際に仰臥腹部位を水平に横断するように形成した水平定規と、
前記接触部を仰臥腹部位の垂直方向の頂に接触させた際に、前記水平定規が仰臥腹部位を水平に横断する状態を維持させる水平出し部とから成り、
前記頂間垂直距離測定手段は、
前記水平出し部により前記水平定規を水平に横断する状態に維持させた際に、仰臥腹部位を水平に横断する方向に移動するように前記水平定規に設けられ、下方の垂直距離を検出する測距センサを有し、下方の垂直距離をサンプリングする垂直距離検出部と、
前記水平出し部により前記水平定規を水平に横断する状態に維持させた際に、仰臥腹部位を水平に横断する方向に前記測距センサを移動させる移動機構部と、
前記測距センサを移動させた際に、前記垂直距離検出部によりサンプリングした下方の垂直距離が所定の変化をしたときだけに、その所定の変化をした際にサンプリングした下方の垂直距離を頂間垂直距離と判定する頂間垂直距離判定部とから成り、
前記皮下脂肪蓄積情報推定手段は、
頂間垂直距離と皮下脂肪蓄積情報との相関関係を予め記憶する相関関係記憶部と、
前記相関関係記憶部に予め記憶する頂間垂直距離と皮下脂肪蓄積情報との相関関係に基づいて、前記頂間垂直距離判定部により判定した頂間垂直距離に対応する皮下脂肪蓄積情報を求める皮下脂肪蓄積情報演算部とから成り、
前記皮下脂肪蓄積情報出力手段は、
前記皮下脂肪蓄積情報演算部により求めた皮下脂肪蓄積情報を表示する皮下脂肪蓄積情報表示部から成る、
ことを特徴とする請求項１記載の皮下脂肪蓄積情報推定装置。
【請求項４】
前記皮下脂肪蓄積情報が皮下脂肪面積であることを特徴とする請求項１乃至３のいずれか一項に記載の皮下脂肪蓄積情報推定装置。
【請求項５】
前記頂間垂直距離と皮下脂肪蓄積情報との相関関係が、頂間垂直距離をＸ、皮下脂肪面積をＹとし、Ｙ＝１６.５Ｘ−１１０.８で示す相関式であることを特徴とする請求項４記載の皮下脂肪蓄積情報推定装置。
【請求項６】
仰臥腹部位の垂直方向の頂を通りつつ、前記仰臥腹部位を横断する水平面を確保するとともに、前記水平面から垂直に、前記仰臥腹部位の水平方向の頂までを結ぶ頂間垂直距離を測定し、頂間垂直距離と皮下脂肪蓄積情報との相関関係に基づいて、前記測定した頂間垂直距離に対応する皮下脂肪蓄積情報を推定することを特徴とする皮下脂肪蓄積情報推定方法。
【請求項７】
前記皮下脂肪蓄積情報が皮下脂肪面積であることを特徴とする請求項６記載の皮下脂肪蓄積情報推定方法。
【請求項８】
前記頂間垂直距離と皮下脂肪蓄積情報との相関関係が、頂間垂直距離をＸ、皮下脂肪面積をＹとし、Ｙ＝１６.５Ｘ−１１０.８で示す相関式であることを特徴とする請求項７記載の皮下脂肪蓄積情報推定方法。
【発明の詳細な説明】
【技術分野】
【０００１】
本発明は、腹部の長さ情報を用いて皮下脂肪蓄積情報について推定する皮下脂肪蓄積情報推定装置及び皮下脂肪蓄積情報推定方法に関する。
【背景技術】
【０００２】
美や健康を得るには、よいプロポーションを確保することが不可欠である。そして、プロポーションの良否については、従来から皮下脂肪蓄積情報（例えば、皮下脂肪量、皮下脂肪面積、皮下脂肪厚など）を知ることによって行われてきた。
【０００３】
この皮下脂肪蓄積情報について知ることができる装置としては、例えば、特許文献１に示されるような、身体部位の皮下脂肪（皮膚も含む）をつまみ、そのつまんだ皮下脂肪の厚みをキャリパーで測定する皮下脂肪計や、特許文献２に示されるような、皮膚表面から身体内部に超音波を発生し、皮下脂肪層と筋肉層との反射エコーの到達時間を測定し、この到達時間から皮下脂肪厚を算出する皮脂厚計測装置や、特許文献３に示されるような、皮下脂肪を測定したい部位と皮下脂肪層の薄い部位との間のインピーダンスを測定し、このインピーダンスの虚数部の値から皮下脂肪厚を算出する皮下脂肪厚計などが開示されている。
【特許文献１】特開平１０−３１４１４５号公報
【特許文献２】特開昭６２−２１３７４０号公報
【特許文献３】特開２０００−１３９８６５号公報
【発明の開示】
【発明が解決しようとする課題】
【０００４】
しかしながら、特許文献１に示されるような測定部位を挟み込む皮下脂肪計による測定においては、皮下脂肪（皮膚も含む）のつまみ方によって、そのつまんだ厚みが異なってしまうため、測定に技能や熟練を要するといった問題があった。
【０００５】
また、特許文献２に示されるような超音波を利用した皮脂厚計測装置による測定においては、一般的に専用のゼリーなどを測定部位に塗布する必要があるため、測定に面倒を要するといった問題があった。
【０００６】
更に、特許文献３に示されるようなインピーダンスに基づく皮下脂肪厚計による測定においては、測定時の被測定者の体水分状態（発汗など）による影響を受けやすいため、安定した測定値を得にくいといった問題があった。
【０００７】
そこで、本発明は、上記のような従来の問題点を解決することを目的とするもので、正確に簡便に皮下脂肪蓄積情報を推定することができる皮下脂肪蓄積情報推定装置及び皮下脂肪蓄積情報推定方法を提供することを課題とする。
【課題を解決するための手段】
【０００８】
上記目的を達成するために、一つの観点によると、本発明の皮下脂肪蓄積情報推定装置は、仰臥腹部位の垂直方向の頂を通りつつ、仰臥腹部位を横断する水平面を基準位置として確保する水平基準位置確保手段と、前記水平基準位置確保手段により基準位置として確保した水平面から垂直に、仰臥腹部位の水平方向の頂までを結ぶ頂間垂直距離を測定する頂間垂直距離測定手段と、頂間垂直距離と皮下脂肪蓄積情報との相関関係に基づいて、前記頂間垂直距離測定手段により測定した頂間垂直距離に対応する皮下脂肪蓄積情報を推定する皮下脂肪蓄積情報推定手段と、前記皮下脂肪蓄積情報推定手段により推定した皮下脂肪蓄積情報を出力する皮下脂肪蓄積情報出力手段と、を備える。
【０００９】
また、この観点の一つの形態によると、前記水平基準位置確保手段は、仰臥腹部位の垂直方向の頂に接触させる接触部を有し、前記接触部を仰臥腹部位の垂直方向の頂に接触させた際に仰臥腹部位を水平に横断するように形成した水平定規と、前記接触部を仰臥腹部位の垂直方向の頂に接触させた際に、前記水平定規が仰臥腹部位を水平に横断する状態を維持させる水平出し部とから成り、前記頂間垂直距離測定手段は、前記水平出し部により前記水平定規を水平に横断する状態に維持させた際に、前記水平定規から下方に、仰臥腹部位の水平方向の頂に接触させる側に配置して垂直距離を示す目盛部を有し、仰臥腹部位の水平方向の頂に接触させた際に前記目盛部が示す前記水平定規から仰臥腹部位の水平方向の頂までの垂直距離を頂間垂直距離として測定する垂直定規から成り、前記皮下脂肪蓄積情報推定手段は、前記垂直定規より測定した頂間垂直距離を入力する直距離入力部と、頂間垂直距離と皮下脂肪蓄積情報との相関関係を予め記憶する相関関係記憶部と、前記相関関係記憶部に予め記憶する頂間垂直距離と皮下脂肪蓄積情報との相関関係に基づいて、前記頂間垂直距離入力部より入力した頂間垂直距離に対応する皮下脂肪蓄積情報を求める皮下脂肪蓄積情報演算部とから成り、前記皮下脂肪蓄積情報出力手段は、前記皮下脂肪蓄積情報演算部により求めた皮下脂肪蓄積情報を表示する皮下脂肪蓄積情報表示部から成る、ことを特徴とする。
【００１０】
更に、この観点の別の形態によると、前記水平基準位置確保手段は、仰臥腹部位の垂直方向の頂に接触させる接触部を有し、前記接触部を仰臥腹部位の垂直方向の頂に接触させた際に仰臥腹部位を水平に横断するように形成した水平定規と、前記接触部を仰臥腹部位の垂直方向の頂に接触させた際に、前記水平定規が仰臥腹部位を水平に横断する状態を維持させる水平出し部とから成り、前記頂間垂直距離測定手段は、前記水平出し部により前記水平定規を水平に横断する状態に維持させた際に、仰臥腹部位を水平に横断する方向に移動するように前記水平定規に設けられ、下方の垂直距離を検出する測距センサを有し、下方の垂直距離をサンプリングする垂直距離検出部と、前記水平出し部により前記水平定規を水平に横断する状態に維持させた際に、仰臥腹部位を水平に横断する方向に前記測距センサを移動させる移動機構部と、前記測距センサを移動させた際に、前記垂直距離検出部によりサンプリングした下方の垂直距離が所定の変化をしたときだけに、その所定の変化をした際にサンプリングした下方の垂直距離を頂間垂直距離と判定する頂間垂直距離判定部とから成り、前記皮下脂肪蓄積情報推定手段は、頂間垂直距離と皮下脂肪蓄積情報との相関関係を予め記憶する相関関係記憶部と、前記相関関係記憶部に予め記憶する頂間垂直距離と皮下脂肪蓄積情報との相関関係に基づいて、前記頂間垂直距離判定部により判定した頂間垂直距離に対応する皮下脂肪蓄積情報を求める皮下脂肪蓄積情報演算部とから成り、前記皮下脂肪蓄積情報出力手段は、前記皮下脂肪蓄積情報演算部により求めた皮下脂肪蓄積情報を表示する皮下脂肪蓄積情報表示部から成る、ことを特徴とする。
【００１１】
更に、この観点の別の形態によると、前記皮下脂肪蓄積情報が皮下脂肪面積であることを特徴とする。
【００１２】
更に、この観点の別の形態によると、前記頂間垂直距離と皮下脂肪蓄積情報との相関関係が、頂間垂直距離をＸ、皮下脂肪面積をＹとし、Ｙ＝１６.５Ｘ−１１０.８で示す相関式であることを特徴とする。
【００１３】
また、上記目的を達成するために、別の観点によると、本発明の皮下脂肪蓄積情報推定方法は、仰臥腹部位の垂直方向の頂を通りつつ、前記仰臥腹部位を横断する水平面を確保するとともに、前記水平面から垂直に、前記仰臥腹部位の水平方向の頂までを結ぶ頂間垂直距離を測定し、頂間垂直距離と皮下脂肪蓄積情報との相関関係に基づいて、前記測定した頂間垂直距離に対応する皮下脂肪蓄積情報を推定することを特徴とする。
【００１４】
また、この観点の別の形態によると、前記皮下脂肪蓄積情報が皮下脂肪面積であることを特徴とする。
【００１５】
更に、この観点の別の形態によると、前記頂間垂直距離と皮下脂肪蓄積情報との相関関係が、頂間垂直距離をＸ、皮下脂肪面積をＹとし、Ｙ＝１６.５Ｘ−１１０.８で示す相関式であることを特徴とする。
【発明の効果】
【００１６】
本発明の皮下脂肪蓄積情報推定装置及び皮下脂肪蓄積情報推定方法によると、仰臥腹部位の垂直方向の頂を通る水平面を確保するとともに、この確保した水平面から垂直に仰臥腹部位の水平方向の頂までを結んだ頂間垂直距離を測定し、この測定した頂間垂直距離に対応する皮下脂肪蓄積情報をこれらが示す相関関係に基づいて推定することから、皮下脂肪をつまむといったような測定の際の技能や熟練を要せず、測定部位に専用のゼリーなどを塗布するような面倒を要せず、皮下脂肪以外の身体的要因（例えば、発汗など）による測定値への影響を受けることがないため、正確に簡便に皮下脂肪蓄積情報を推定することができる。
【発明を実施するための最良の形態】
【００１７】
本発明の皮下脂肪蓄積情報推定装置の形態について、図１に示す機能的ブロック図を用いて説明する。本発明の皮下脂肪蓄積情報推定装置は、水平基準位置確保手段１０１、頂間垂直距離測定手段１０２、皮下脂肪蓄積情報推定手段１０３及び皮下脂肪蓄積情報出力手段１０４から構成する。
【００１８】
水平基準位置確保手段１０１は、仰臥腹部位の垂直方向の頂を通りつつ、仰臥腹部位を横断する水平面を基準位置として確保する。
【００１９】
頂間垂直距離測定手段１０２は、水平基準位置確保手段１０１により基準位置として確保した水平面から垂直に、仰臥腹部位の水平方向の頂までを結ぶ頂間垂直距離を測定する。
【００２０】
皮下脂肪蓄積情報推定手段１０３は、頂間垂直距離と皮下脂肪蓄積情報との相関関係に基づいて、頂間垂直距離測定手段１０２により測定した頂間垂直距離に対応する皮下脂肪蓄積情報（例えば、皮下脂肪面積、皮下脂肪量など）を推定する。
【００２１】
ここで、頂間垂直距離と皮下脂肪蓄積情報との相関関係について、図２に示す皮下脂肪層の違いによる仰臥腹部位の断面の比較図（なお、この図において、Ｓは皮下脂肪、Ｖは内臓器及び内臓脂肪、Ｍは筋肉、Ｂは背骨を表す。）、及び図３に示す頂間垂直距離と皮下脂肪面積（皮下脂肪蓄積情報の一種）との相関関係を表すグラフを用いて説明する。皮下脂肪Ｓが少ないと、仰臥の際における腹部位（臍Ｐ位置）の断面（図２（ａ）のＡ−Ａ断面）は、図２（ｂ）のように、大体のところ楕円に近い断面となり、頂間垂直距離（仰臥腹部位の垂直方向の頂を通る水平面Ｈｒから垂直に仰臥腹部位の水平方向の頂までを結んだ距離）Ｖが短くなる。一方、皮下脂肪Ｓが多いと、仰臥の際における腹部位（臍Ｐ位置）の断面（図２（ａ）のＡ−Ａ断面）は、図２（ｃ）のように、山形状の断面となり、頂間垂直距離Ｖが長くなる。そして、図３のように、皮下脂肪Ｓが増加するに従って頂間垂直距離Ｖも増加するといった相関性を有する傾向となる。このような相関性を有する傾向となる理由は、皮下脂肪層の厚みが単に増加するだけでなく、腹部位の正面から側面にかけて付く皮下脂肪層が多くなるほど、重力の作用によって皮下脂肪層が下方に垂れ下がるからである。
【００２２】
皮下脂肪蓄積情報出力手段１０４は、皮下脂肪蓄積情報推定手段１０３により推定した皮下脂肪蓄積情報を出力する。
【００２３】
このように構成した皮下脂肪蓄積情報推定装置においては、水平基準位置確保手段１０１により仰臥腹部位の垂直方向の頂を通る水平面を確保するとともに、頂間垂直距離測定手段１０２によりこの確保した水平面から垂直に仰臥腹部位の水平方向の頂までを結んだ頂間垂直距離を測定し、皮下脂肪蓄積情報推定手段１０３により頂間垂直距離と皮下脂肪蓄積情報との相関関係に基づいて、この測定した頂間垂直距離に対応する皮下脂肪蓄積情報を推定し、皮下脂肪蓄積情報出力手段１０４によりこの推定した皮下脂肪蓄積情報を出力する。そして、このような皮下脂肪蓄積情報推定装置によると、皮下脂肪をつまむといったような測定の際の技能や熟練を要せず、測定部位に専用のゼリーなどを塗布するような面倒を要せず、皮下脂肪以外の身体的要因（例えば、発汗など）による測定値への影響を受けることがない。したがって、正確に簡便に皮下脂肪蓄積情報を推定することができる。
【００２４】
なお、上述した皮下脂肪蓄積情報推定装置によらなくとも、仰臥腹部位の垂直方向の頂を通りつつ、前記仰臥腹部位を横断する水平面を、例えば、仰臥腹部位の垂直方向の頂に定規を当てることによって確保し、この水平面を確保した状態のまま、水平面から垂直に仰臥腹部位の水平方向の頂までを結ぶ頂間垂直距離を、例えば、ものさしによって測定し、先に図２及び図３を用いて説明した頂間垂直距離と皮下脂肪蓄積情報との相関関係に基づいて、この測定した頂間垂直距離に対応する皮下脂肪蓄積情報を推定するといった方法によって行えば、上述した皮下脂肪蓄積情報推定装置を用いる場合と同様に、正確に簡便に皮下脂肪蓄積情報を推定することができる。
【００２５】
以下、上述した形態における実施例について具体的に説明する。
【実施例１】
【００２６】
まず、図４に示す測定状態図、図５に示すブロック図を用いながら、本発明に係わる皮下脂肪蓄積情報推定装置（手動的に頂間垂直距離を測定する形態）の具体的な構成について説明する。
【００２７】
実施例１としての皮下脂肪蓄積情報推定装置は、水平定規１、水平出し部２、垂直定規３、頂間垂直距離入力部４、皮下脂肪蓄積情報表示部５、電源スイッチ６が外部に備わり、マイクロコンピュータ（相関関係記憶部７ａ、皮下脂肪蓄積情報演算部７ｂを含む）７、電源部８が水平定規１の内部に備わって構成する。
【００２８】
なお、ここで、水平定規１及び水平出し部２による構成は上述した形態における水平基準位置確保手段１０１に該当し、垂直定規３による構成は上述した形態における頂間垂直距離測定手段１０２に該当し、頂間垂直距離入力部４、相関関係記憶部７ａ及び皮下脂肪蓄積情報演算部７ｂによる構成は上述した形態における皮下脂肪蓄積情報推定手段１０３に該当し、皮下脂肪蓄積情報表示部５による構成は上述した形態における皮下脂肪蓄積情報出力手段１０４に該当する。
【００２９】
水平定規１は、仰臥腹部位の垂直方向の頂（臍回りのてっぺん）に接触させる接触部（本例においては、平面部）１ａを有し、接触部１ａを仰臥腹部位の垂直方向の頂に接触させた際に、仰臥腹部位を水平に横断するように（本例においては、少なくとも仰臥腹部位の横幅を超えて長くなるように）形成したものである。
【００３０】
水平出し部２は、接触部１ａを仰臥腹部位の垂直方向の頂に接触させた際に、水平定規１が仰臥腹部位を水平に横断する状態を維持させるものである。本例においては、接触部１ａを仰臥腹部位の垂直方向の頂に接触させた際に、水平定規１が仰臥腹部位を水平に横断する状態であることを指示するように水平定規１に設けた水準器である。
【００３１】
垂直定規３は、水平出し部２により水平定規１を水平に横断する状態に維持させた際に、水平定規１から下方に、仰臥腹部位の水平方向の頂に接触させる側に配置して垂直距離を示す目盛部３ａを有し、仰臥腹部位の水平方向の頂に接触させた際に目盛部３ａが示す水平定規１から仰臥腹部位の水平方向の頂（横幅の最大端）までの垂直距離を頂間垂直距離Ｖとして測定するものである。なお、垂直定規３は、水平定規１と固定した構造であっても、水平定規１に対して水平方向に移動する構造であってもよい。
【００３２】
頂間垂直距離入力部４は、垂直定規３により測定した頂間垂直距離Ｖを入力するものである。本例においては、テンキーである。
【００３３】
マイクロコンピュータ７は、ＣＰＵ、制御および演算用プログラム等を記憶するＲＯＭ、演算および判定結果等を一時的に記憶するＲＡＭ、タイマー、ＩＯポート等から成り、相関関係記憶部７ａ及び皮下脂肪蓄積情報演算部７ｂを兼用しつつ、各種の演算、判定、表示等に関する制御等の処理を行う。
【００３４】
相関関係記憶部７ａは、頂間垂直距離と皮下脂肪面積（皮下脂肪蓄積情報の一種）との相関関係を予め記憶するものである。なお、頂間垂直距離と皮下脂肪面積（皮下脂肪蓄積情報の一種）との相関関係とは、具体的には、先に説明した図３示すグラフの相関線Ｌを表す相関式（Ｙ＝１６.５Ｘ−１１０.８、Ｘ：頂間垂直距離、Ｙ：皮下脂肪面積）である。
【００３５】
皮下脂肪蓄積情報演算部７ｂは、相関関係記憶部７ａに記憶する頂間垂直距離と皮下脂肪面積との相関関係に基づいて、頂間垂直距離入力部４により入力した頂間垂直距離に対応する皮下脂肪面積を求めるものである。より具体的には、相関関係記憶部７ａに記憶する相関式（Ｙ＝１６.５Ｘ−１１０.８、Ｘ：頂間垂直距離、Ｙ：皮下脂肪面積）のＸに、頂間垂直距離入力部４により入力した頂間垂直距離を代入して皮下脂肪面積Ｙを演算する。
【００３６】
皮下脂肪蓄積情報表示部５は、皮下脂肪蓄積情報演算部７ｂにより求めた皮下脂肪面積を表示するものである。本例においては、ＬＣＤである。
【００３７】
電源部８は、本装置の電気系統各部に電力を供給するものである。
【００３８】
電源スイッチ６は、電源部８に対して本装置の電気系統各部に電力供給を開始させるものである。
【００３９】
次に、図６に示すフローチャートを主として用いながら、上述した皮下脂肪蓄積情報推定装置の操作及び動作の説明に関連させながら、本発明に係わる皮下脂肪蓄積情報推定方法についても同時に説明する。
【００４０】
まず、水平定規１の接触部１ａを仰臥腹部位の垂直方向の頂（臍回りのてっぺん）に接触させつつ、水平定規１が仰臥腹部位を水平に横断するようにセットする（ステップＳ１）。
【００４１】
続いて、垂直定規３を仰臥腹部位の水平方向の頂（横幅の最大端）に接触させつつ、水平出し部（水準器）２により水平定規１が仰臥腹部位を水平に横断する状態を維持するようにセットする（ステップＳ２）。
【００４２】
続いて、水平定規１から仰臥腹部位の水平方向の頂（横幅の最大端）までの頂間垂直距離を垂直定規３の目盛部３ａにより測定する（読み取る）。次いで、電源スイッチ６をオンして、電源部８から電気系統各部に電力が供給された後、この測定した（読み取った）頂間垂直距離を頂間垂直距離入力部（テンキー）４により入力する（ステップＳ３）。
【００４３】
続いて、皮下脂肪蓄積情報演算部７ｂ（マイクロコンピュータ７）において、相関関係記憶部７ａ（マイクロコンピュータ７）に記憶する相関式（Ｙ＝１６.５Ｘ−１１０.８、Ｘ：頂間垂直距離、Ｙ：皮下脂肪面積）のＸに、頂間垂直距離入力部４により入力された頂間垂直距離を代入して皮下脂肪面積Ｙを演算する（ステップＳ４）。
【００４４】
続いて、皮下脂肪蓄積情報表示部（ＬＣＤ）５において、皮下脂肪蓄積情報演算部７ｂにより求めた皮下脂肪面積Ｙを表示し（ステップＳ５）、一連の操作及び動作処理過程が終了する。
【００４５】
なお、上述した実施例１における皮下脂肪蓄積情報推定装置は、水平出し部２が、水平定規１が仰臥腹部位を水平に横断する状態であることを指示するように水平定規１に設けた水準器であったが、図７に示す測定状態図のように、垂直定規３の下端部を測定台９に対して垂直に合わせるような形状とし、この垂直定規３に対して垂直（図７（ｂ）の矢印方向）に可動するように水平定規１を接続するものとしても、水平定規１の接触部１ａを仰臥腹部位の垂直方向の頂に接触させた際に、水平定規１が仰臥腹部位を水平に横断する状態を維持させることが実施可能である。
【実施例２】
【００４６】
次に、図８に示す測定状態図、図９に示すブロック図を用いながら、本発明に係わる皮下脂肪蓄積情報推定装置（自動的に頂間垂直距離を測定する形態）の具体的な構成について説明する。
【００４７】
実施例２としての皮下脂肪蓄積情報推定装置は、水平定規５１、水平出し部５２、垂直距離検出部５３、皮下脂肪蓄積情報表示部５４、電源スイッチ５５が外部に備わり、移動機構部５６、マイクロコンピュータ（頂間垂直距離判定部５７ａ、相関関係記憶部５７ｂ、皮下脂肪蓄積情報演算部５７ｃを含む）５７、電源部５８が水平定規５１の内部に備わって構成する。
【００４８】
なお、ここで、水平定規５１及び水平出し部５２による構成は上述した形態における水平基準位置確保手段１０１に該当し、垂直距離検出部５３、移動機構部５６及び頂間垂直距離判定部５７ａによる構成は上述した形態における頂間垂直距離測定手段１０２に該当し、相関関係記憶部５７ｂ及び皮下脂肪蓄積情報演算部５７ｃによる構成は上述した形態における皮下脂肪蓄積情報推定手段１０３に該当し、皮下脂肪蓄積情報表示部５４による構成は上述した形態における皮下脂肪蓄積情報出力手段１０４に該当する。
【００４９】
水平定規５１は、仰臥腹部位の垂直方向の頂（臍回りのてっぺん）に接触させる接触部５１ａを有し、接触部５１ａを仰臥腹部位の垂直方向の頂に接触させた際に、仰臥腹部位を水平に横断するように（仰臥腹部位の横幅より適度に長くなるように）形成したものである。
【００５０】
水平出し部５２は、接触部５１ａを仰臥腹部位の垂直方向の頂に接触させた際に、水平定規５１が仰臥腹部位を水平に横断する状態を維持させるものである。本例においては、接触部５１ａを仰臥腹部位の垂直方向の頂に接触させた際に、水平定規５１が仰臥腹部位を水平に横断する状態であることを指示するように水平定規５１に設けた水準器である。
【００５１】
垂直距離検出部５３は、水平出し部５２により水平定規５１を水平に横断する状態に維持させた際に、仰臥腹部位を水平に横断する方向（図８（ｂ）の矢印方向）に移動するように水平定規５１に設けられ、下方の垂直距離を検出する測距センサ５３ｂを有し、下方の垂直距離をサンプリングするものである。本例においては、測距センサ５３ｂから照射するための光信号を出力するセンサ駆動回路５３ａと、センサ駆動回路５３ａから出力された光信号を照射し、これによって反射した光信号を受光して電気信号に変換して出力する測距センサ（投光レンズ、受光レンズ及び位置検出素子から成る。）５３ｂと、測距センサ５３ｂにより出力した電気信号を増幅する増幅回路５３ｃと、センサ駆動回路５３ａの働きを制御したり、増幅回路５３ｃにより増幅した電気信号によって距離を求めたりするマイクロコンピュータ５７とから構成する。
【００５２】
移動機構部５６は、水平出し部５２により水平定規５１を水平に横断する状態に維持させた際に、仰臥腹部位を水平に横断する方向に測距センサ５３ｂを移動させるものである。本例においては、モータ駆動回路５６ａの働きを制御するマイクロコンピュータ５７と、ステッピングモータ５６ｂを駆動させるためのモータ駆動回路５６ａと、モータ駆動回路５６ａによる出力に基づいて作動するステッピングモータ５６ｂと、ステッピングモータ５６ｂの作動にと連動する移動ベルト５６ｃとから構成する。また、移動速度は、０.０２ｍ／ｓ（垂直距離検出部５３（測距センサ５３ｂ）のサンプリング時間を５０ｍｓとして移動１ｍｍ毎にサンプリング）とするものである。
【００５３】
マイクロコンピュータ５７は、ＣＰＵ、制御および演算用プログラム等を記憶するＲＯＭ、演算および判定結果等を一時的に記憶するＲＡＭ、タイマー、ＩＯポート等から成り、先に述べた垂直距離検出部５３及び移動機構部５６の一部としてや、頂間垂直距離判定部５７ａ、相関関係記憶部５７ｂ及び皮下脂肪蓄積情報演算部５７ｃを兼用しつつ、各種の演算、判定、表示等に関する制御等の処理を行う。
【００５４】
頂間垂直距離判定部５７ａは、測距センサ５３ｂを移動させた際に、垂直距離検出部５３によりサンプリングした下方の垂直距離が所定の変化（本例においては、３ｃｍ以上の変化）をした場合に、その所定の変化をした際にサンプリングした下方の垂直距離を頂間垂直距離と判定する。
【００５５】
相関関係記憶部５７ｂは、頂間垂直距離と皮下脂肪面積（皮下脂肪蓄積情報の一種）との相関関係を予め記憶するものである。なお、頂間垂直距離と皮下脂肪面積（皮下脂肪蓄積情報の一種）との相関関係とは、具体的には、先に説明した図３示すグラフの相関線Ｌを表す相関式（Ｙ＝１６.５Ｘ−１１０.８、Ｘ：頂間垂直距離、Ｙ：皮下脂肪面積）である。
【００５６】
皮下脂肪蓄積情報演算部５７ｃは、相関関係記憶部５７ｂに記憶する頂間垂直距離と皮下脂肪面積との相関関係に基づいて、頂間垂直距離入力部４により入力した頂間垂直距離に対応する皮下脂肪面積を求めるものである。より具体的には、相関関係記憶部５７ｂに記憶する相関式（Ｙ＝１６.５Ｘ−１１０.８、Ｘ：頂間垂直距離、Ｙ：皮下脂肪面積）のＸに、頂間垂直距離入力部４により入力した頂間垂直距離を代入して皮下脂肪面積Ｙを演算する。
【００５７】
皮下脂肪蓄積情報表示部５４は、皮下脂肪蓄積情報演算部５７ｃにより求めた皮下脂肪面積を表示するものである。本例においては、ＬＣＤである。
【００５８】
電源部５８は、本装置の電気系統各部に電力を供給するものである。
【００５９】
電源スイッチ５５は、電源部５８に対して本装置の電気系統各部に電力供給を開始させるものである。
【００６０】
次に、図１０に示すフローチャートを主として用いながら、上述した皮下脂肪蓄積情報推定装置の操作及び動作について説明する。
【００６１】
まず、水平定規５１の接触部５１ａを仰臥腹部位の垂直方向の頂（臍回りのてっぺん）に接触させつつ、水平定規５１が仰臥腹部位を水平に横断するようにセットする（ステップＳ１０１）。
【００６２】
続いて、移動機構部５６の稼動により測距センサ５３ｂを初期位置（水平定規５１の仰臥腹部位を水平に横断する方向における端部。換言すると、仰臥する測定台５９からの垂直距離を検出する位置）に移動する（ステップＳ１０２）。
【００６３】
続いて、垂直距離検出部５３において、測距センサ５３ｂが初期位置の際の仰臥する測定台５９からの垂直距離（初期垂直距離）を測定する（ステップＳ１０３）。
【００６４】
続いて、移動機構部５６の稼動によって測距センサ５３ｂを仰臥腹部位の方向に移動させるとともに、垂直距離検出部５３において、下方の垂直距離を測定（サンプリング）し（ステップＳ１０４）、頂間垂直距離判定部５７ａにおいて、先に測定した初期垂直距離とこの移動において測定した下方の垂直距離（移動時点垂直距離）との差が所定値（本例においては、３ｃｍ）以上であるか否かを判定する（ステップＳ１０５）。
【００６５】
初期垂直距離と移動時点垂直距離との差が所定値以上でない場合には（ステップＳ１０５でＮＯ）、ステップＳ１０４に戻って同様に処理を繰り返す。一方、初期垂直距離と移動時点垂直距離との差が所定値以上である場合には（ステップＳ１０５でＹＥＳ）、このときの移動時点垂直距離を頂間垂直距離として判定する（ステップＳ１０６）。
【００６６】
続いて、皮下脂肪蓄積情報演算部５７ｃ（マイクロコンピュータ５７）において、相関関係記憶部５７ｂ（マイクロコンピュータ５７）に記憶する相関式（Ｙ＝１６.５Ｘ−１１０.８、Ｘ：頂間垂直距離、Ｙ：皮下脂肪面積）のＸに、頂間垂直距離判定部５７ａにより判定された頂間垂直距離を代入して皮下脂肪面積Ｙを演算する（ステップＳ１０７）。
【００６７】
続いて、皮下脂肪蓄積情報表示部５４（ＬＣＤ）において、皮下脂肪蓄積情報演算部５７ｃにより求めた皮下脂肪面積Ｙを表示し（ステップＳ１０８）、一連の操作及び動作処理過程が終了する。
【００６８】
なお、上述した実施例２における皮下脂肪蓄積情報推定装置は、水平出し部５２が、水平定規５１が仰臥腹部位を水平に横断する状態であることを指示するように水平定規５１に設けた水準器であったが、図１１に示す測定状態図のように、測定台５９に対して垂直に立設する支柱に対して垂直に可動するように水平定規５１を接続するものとしても、水平定規５１の接触部５１ａを仰臥腹部位の垂直方向の頂に接触させた際に、水平定規５１が仰臥腹部位を水平に横断する状態を維持させることが実施可能である。
【００６９】
また、垂直距離検出部５３は、光を利用して検出するものであったが、超音波を利用するものとしても同様に実施可能である。
【図面の簡単な説明】
【００７０】
【図１】皮下脂肪蓄積情報推定装置の機能的構成について示す機能的ブロック図である。
【図２】皮下脂肪層の違いによる仰臥腹部位の断面の比較を示す比較図である。
【図３】頂間垂直距離と皮下脂肪面積（皮下脂肪蓄積情報の一種）との相関関係を表すグラフである。
【図４】皮下脂肪蓄積情報推定装置を用いた測定の状態を示す測定状態図である。（実施例１）
【図５】皮下脂肪蓄積情報推定装置の構造的構成について示すブロック図である。（実施例１）
【図６】皮下脂肪蓄積情報推定装置の操作及び動作処理の流れについて示すフローチャートである。（実施例１）
【図７】皮下脂肪蓄積情報推定装置を用いた測定の状態を示す測定状態図である。（実施例１の変形例）
【図８】皮下脂肪蓄積情報推定装置を用いた測定の状態を示す測定状態図である。（実施例２）
【図９】皮下脂肪蓄積情報推定装置の構造的構成について示すブロック図である。（実施例２）
【図１０】皮下脂肪蓄積情報推定装置の操作及び動作処理の流れについて示すフローチャートである。（実施例２）
【図１１】皮下脂肪蓄積情報推定装置を用いた測定の状態を示す測定状態図である。（実施例２の変形例）
【符号の説明】
【００７１】
１、５１  水平定規
１ａ、５１ａ  接触部
２、５２  水平出し部
３  垂直定規
３ａ  目盛部
４  頂間垂直距離入力部
５、５４  皮下脂肪蓄積情報表示部
６、５５  電源スイッチ
７、５７  マイクロコンピュータ
７ａ、５７ｂ  相関関係記憶部
７ｂ、５７ｃ  皮下脂肪蓄積情報演算部
５７ａ  頂間垂直距離判定部
８、５８  電源部
９、５９  測定台
５３  垂直距離検出部
５３ａ  センサ駆動回路
５３ｂ  測距センサ
５３ｃ  増幅回路
５６  移動機構部
５６ａ  モータ駆動回路
５６ｂ  ステッピングモータ
５６ｃ  移動ベルト
１０１  水平基準位置確保手段
１０２  頂間垂直距離測定手段
１０３  皮下脂肪蓄積情報推定手段
１０４  皮下脂肪蓄積情報出力手段
【図１】
0004680055.tif 000002
【図２】
0004680055.tif 000003
【図３】
0004680055.tif 000004
【図４】
0004680055.tif 000005
【図５】
0004680055.tif 000006
【図６】
0004680055.tif 000007
【図７】
0004680055.tif 000008
【図８】
0004680055.tif 000009
【図９】
0004680055.tif 000010
【図１０】
0004680055.tif 000011
【図１１】
0004680055.tif 000012